(57)【特許請求の範囲】
【請求項１】
回転操作軸を有する電気部品のクリック機構であって、
前記回転操作軸と一体に回転する回転板に配置された板材よりなるバネと、
前記回転板の外周部の互いに１８０°をなす位置に配置され、前記回転操作軸の軸心方向において前記外周部の互いにずれた位置から突出し、出入り可能とされた円柱状をなす２つのクリック駒と、
前記回転板を収容するハウジングの内周面に、前記軸心方向において上下２段、それぞれ周方向に形成された凹凸とよりなり、
前記上下２段の凹凸は前記周方向に互いの凹凸がずらされており、
前記２つのクリック駒は前記バネにより付勢されて周面部分が前記上下２段の凹凸にそれぞれ弾接されていることを特徴とする電気部品のクリック機構。
【請求項２】
請求項１記載の電気部品のクリック機構において、
前記バネはＵ字形とされ、そのＵ字の両脚部によって前記２つのクリック駒が互いに反対方向に付勢されていることを特徴とする電気部品のクリック機構。
【請求項３】
請求項１記載の電気部品のクリック機構において、
前記バネは一箇所が切り欠かれた円環状とされ、その切り欠きを挟む各半部によって前記２つのクリック駒が互いに反対方向に付勢されていることを特徴とする電気部品のクリック機構。
【請求項４】
回転操作軸を有する電気部品のクリック機構であって、
前記回転操作軸と一体に回転する回転板に配置された板材よりなるバネと、
前記回転板を収容するハウジングの内周面に、前記回転操作軸の軸心方向において上下２段、それぞれ周方向に形成された凹凸とよりなり、
前記上下２段の凹凸は前記周方向に互いの凹凸がずらされており、
前記バネはＵ字形とされ、そのＵ字の両脚部に互いに外向きに、かつ前記軸心方向において互いにずらされて凸部が一体形成されており、
前記凸部は前記回転板の外周部から突出して前記上下２段の凹凸にそれぞれ弾接されていることを特徴とする電気部品のクリック機構。
【請求項５】
回転操作軸を有する電気部品のクリック機構であって、
前記回転操作軸と一体に回転する回転板に配置された板材よりなるバネと、
前記回転板を収容するハウジングの内周面に、前記回転操作軸の軸心方向において上下２段、それぞれ周方向に形成された凹凸とよりなり、
前記上下２段の凹凸は前記周方向に互いの凹凸がずらされており、
前記バネは一箇所が切り欠かれた円環状とされ、その切り欠きを挟む各半部に互いに外向きに、かつ前記軸心方向において互いにずらされて凸部が一体形成されており、
前記凸部は前記回転板の外周部から突出して前記上下２段の凹凸にそれぞれ弾接されていることを特徴とする電気部品のクリック機構。
【請求項６】
回転操作軸を有する電気部品のクリック機構であって、
前記回転操作軸と一体に回転する回転板に、前記回転操作軸の軸心方向に重ねて配置された板材もしくは線材よりなる２つのバネと、
前記回転板を収容するハウジングの内周面に、前記軸心方向において上下２段、それぞれ周方向に形成された凹凸とよりなり、
前記上下２段の凹凸は前記周方向に互いの凹凸がずらされており、
前記２つのバネはＵ字形とされ、前記２つのバネの互いに反対側に位置するＵ字の脚部に、互いに外向きに凸部が一体形成されており、
前記凸部は前記回転板の外周部から突出して前記上下２段の凹凸にそれぞれ弾接されていることを特徴とする電気部品のクリック機構。
【請求項７】
回転操作軸を有する電気部品のクリック機構であって、
前記回転操作軸と一体に回転する回転板に、前記回転操作軸の軸心方向に重ねて配置された板材もしくは線材よりなる２つのバネと、
前記回転板を収容するハウジングの内周面に、前記軸心方向において上下２段、それぞれ周方向に形成された凹凸とよりなり、
前記上下２段の凹凸は前記周方向に互いの凹凸がずらされており、
前記２つのバネは一箇所が切り欠かれた円環状とされ、前記２つのバネの切り欠きを挟んで互いに反対側に位置する半部に、互いに外向きに凸部が一体形成されており、
前記凸部は前記回転板の外周部から突出して前記上下２段の凹凸にそれぞれ弾接されていることを特徴とする電気部品のクリック機構。
【請求項８】
請求項４乃至７記載のいずれかの電気部品のクリック機構において、
前記凸部はＵ字状をなし、前記バネが折り曲げられて形成されていることを特徴とする電気部品のクリック機構。
【請求項９】
請求項４乃至７記載のいずれかの電気部品のクリック機構において、
前記凸部は樹脂製とされ、前記バネに一体成形されて形成されていることを特徴とする電気部品のクリック機構。
【請求項１０】
請求項１乃至９記載のいずれかの電気部品のクリック機構において、
前記凹凸の凸が前記内周面の一周に渡って所定のピッチで奇数形成されていることを特徴とする電気部品のクリック機構。
【請求項１１】
請求項１乃至９記載のいずれかの電気部品のクリック機構において、
前記凹凸の凸が前記内周面の一箇所に形成され、かつ前記上下２段の凹凸の凸は互いに１８０°をなす位置に位置していることを特徴とする電気部品のクリック機構。
【発明の詳細な説明】
【技術分野】
【０００１】
この発明は回転操作される電気部品において、操作時にクリック感（節度感）を発生させるためのクリック機構に関する。
【背景技術】
【０００２】
図１０はこの種のクリック機構の従来例として特許文献１に記載されている構成を示したものである。図１０中、１はスイッチの回転操作軸を支える軸受を示し、２は回転板を示す。
【０００３】
軸受１は取り付け用ネジが外周に形成された取り付け部１ａと、取り付け部１ａの一端に一体に形成されたハウジング部１ｂとを備えている。取り付け部１ａには回転操作軸が挿通される軸穴が形成され、ハウジング部１ｂには軸穴が開口する凹部が形成され、この凹部の内周面に周方向に凹凸１ｃが形成されている。
【０００４】
回転板２はハウジング部１ｂに収容されており、その上面には凹部２ａが形成されている。凹部２ａにはＵ字形をなすバネ３が収容配置され、さらにバネ３のＵ字の両脚部とそれぞれ対向して回転板２に形成された切り欠き２ｂに短い円柱状とされたクリック駒４がそれぞれ収容配置されている。２つのクリック駒４はバネ３の両脚部によって互いに反対方向に付勢され、ハウジング部１ｂに形成されている凹凸１ｃにそれぞれ弾接されている。
【０００５】
回転板２の軸穴２ｃには回転操作軸が挿通され、これにより回転板２は回転操作軸と一体に回転する。この時、クリック駒４はハウジング部１ｂの凹凸１ｃに沿って移動し、これによりクリック感が発生するものとなっている。
【先行技術文献】
【特許文献】
【０００６】
【特許文献１】特許第４７５５７１８号公報
【発明の概要】
【発明が解決しようとする課題】
【０００７】
ところで、図１０に示した従来のクリック機構では、２つのクリック駒４は回転板２の互いに１８０°をなす位置に位置し、バネ３の両脚部によって互いに反対方向に付勢されて、ハウジング部１ｂの内周面の同じ線上（同じ凹凸１ｃ上）を摺動するものとなっている。
【０００８】
この場合、クリック駒４が摺動する凹凸１ｃは回転板２の回転中心に対して点対称となっており、よって例えば３６０°回転でのクリック数（クリック感の発生）は必ず偶数となり、奇数のクリック数を実現することはできず、例えば３６０°回転で１回のクリック数を得るといったことも不可能となっていた。また、例えばクリック数を奇数としたい場合には、１８０°未満の回転角度で使用しなければならないといった制約があった。
【０００９】
この発明の目的はこの問題に鑑み、３６０°回転の全域を有効に使用することができ、かつ従来のように偶数に限定されることなく、クリック数を自由に設定することができるようにした電気部品のクリック機構を提供することにある。
【課題を解決するための手段】
【００１０】
請求項１の発明によれば、回転操作軸を有する電気部品のクリック機構は、回転操作軸と一体に回転する回転板に配置された板材よりなるバネと、回転板の外周部の互いに１８０°をなす位置に配置され、回転操作軸の軸心方向において外周部の互いにずれた位置から突出し、出入り可能とされた円柱状をなす２つのクリック駒と、回転板を収容するハウジングの内周面に、前記軸心方向において上下２段、それぞれ周方向に形成された凹凸とよりなり、上下２段の凹凸は前記周方向に互いの凹凸がずらされ、２つのクリック駒はバネにより付勢されて周面部分が上下２段の凹凸にそれぞれ弾接される。
【００１１】
請求項２の発明では請求項１の発明において、バネはＵ字形とされ、そのＵ字の両脚部によって２つのクリック駒が互いに反対方向に付勢される。
請求項３の発明では請求項１の発明において、バネは一箇所が切り欠かれた円環状とされ、その切り欠きを挟む各半部によって２つのクリック駒が互いに反対方向に付勢される。
【００１２】
請求項４の発明によれば、回転操作軸を有する電気部品のクリック機構は、回転操作軸と一体に回転する回転板に配置された板材よりなるバネと、回転板を収容するハウジングの内周面に、回転操作軸の軸心方向において上下２段、それぞれ周方向に形成された凹凸とよりなり、上下２段の凹凸は前記周方向に互いの凹凸がずらされ、バネはＵ字形とされ、そのＵ字の両脚部に互いに外向きに、かつ前記軸心方向において互いにずらされて凸部が一体形成され、凸部は回転板の外周部から突出して上下２段の凹凸にそれぞれ弾接される。
【００１３】
請求項５の発明によれば、回転操作軸を有する電気部品のクリック機構は、回転操作軸と一体に回転する回転板に配置された板材よりなるバネと、回転板を収容するハウジングの内周面に、回転操作軸の軸心方向において上下２段、それぞれ周方向に形成された凹凸とよりなり、上下２段の凹凸は前記周方向に互いの凹凸がずらされ、バネは一箇所が切り欠かれた円環状とされ、その切り欠きを挟む各半部に互いに外向きに、かつ前記軸心方向において互いにずらされて凸部が一体形成され、凸部は回転板の外周部から突出して上下２段の凹凸にそれぞれ弾接される。
【００１４】
請求項６の発明によれば、回転操作軸を有する電気部品のクリック機構は、回転操作軸と一体に回転する回転板に、回転操作軸の軸心方向に重ねて配置された板材もしくは線材よりなる２つのバネと、回転板を収容するハウジングの内周面に、前記軸心方向において上下２段、それぞれ周方向に形成された凹凸とよりなり、上下２段の凹凸は前記周方向に互いの凹凸がずらされ、２つのバネはＵ字形とされ、２つのバネの互いに反対側に位置するＵ字の脚部に、互いに外向きに凸部が一体形成され、凸部は回転板の外周部から突出して上下２段の凹凸にそれぞれ弾接される。
【００１５】
請求項７の発明によれば、回転操作軸を有する電気部品のクリック機構は、回転操作軸と一体に回転する回転板に、回転操作軸の軸心方向に重ねて配置された板材もしくは線材よりなる２つのバネと、回転板を収容するハウジングの内周面に、前記軸心方向において上下２段、それぞれ周方向に形成された凹凸とよりなり、上下２段の凹凸は前記周方向に互いの凹凸がずらされ、２つのバネは一箇所が切り欠かれた円環状とされ、２つのバネの切り欠きを挟んで互いに反対側に位置する半部に、互いに外向きに凸部が一体形成され、凸部は回転板の外周部から突出して上下２段の凹凸にそれぞれ弾接される。
【００１６】
請求項８の発明では請求項４乃至７のいずれかの発明において、凸部はＵ字状をなし、バネが折り曲げられて形成される。
請求項９の発明では請求項４乃至７のいずれかの発明において、凸部は樹脂製とされ、バネに一体成形されて形成される。
【００１７】
請求項１０の発明では請求項１乃至９のいずれかの発明において、前記凹凸の凸が前記内周面の一周に渡って所定のピッチで奇数形成されているものとされる。
請求項１１の発明では請求項１乃至９のいずれかの発明において、前記凹凸の凸が前記内周面の一箇所に形成され、かつ上下２段の凹凸の凸は互いに１８０°をなす位置に位置している。
【発明の効果】
【００１８】
この発明によれば、クリック感を発生させるための２つのクリック駒もしくはバネに一体形成された２つの凸部は互いに異なる凹凸上を摺動するものとなっているため、クリック数を自由に設定することができ、かつ３６０°回転の全域を有効に使用することができる。
【図面の簡単な説明】
【００１９】
【図１】この発明によるクリック機構の一実施例を備えたスイッチの分解斜視図。
【図２】Ａは図１における回転子の平面図、ＢはそのＤ−Ｄ線断面図、Ｃはその底面図。
【図３】Ａは図１における上側接触子ホルダとその下側に位置する回転子を示す平面図、Ｂは図１における下側接触子ホルダとその上側に位置する回転子を示す底面図。
【図４】Ａは図１におけるクリック機構を示す平面図、Ｂはその斜視図。
【図５】Ａ，Ｂは回転板とクリック駒の他の構成例を示す斜視図。
【図６】Ａ〜Ｃは凸部を備えるバネの形状例を示す斜視図。
【図７】Ａ〜Ｃは凸部を備えるバネの他の形状例を示す斜視図、ＤはＡ〜Ｃのバネに対応する回転板の形状を示す斜視図。
【図８】この発明によるクリック機構の他の実施例を備えたスイッチ付き可変抵抗器の要部分解斜視図。
【図９】Ａは図８における下側ケースの平面図、Ｂは図８における上側ケースの平面図。
【図１０】従来のクリック機構の一構成例を説明するための図。
【発明を実施するための形態】
【００２０】
この発明の実施形態を図面を参照して実施例により説明する。
【００２１】
図１はこの発明によるクリック機構を備えた電気部品の一例として、回転操作型のスイッチの構成を示したものである。スイッチは回転操作軸１０と軸受２０とリング２９とハウジング３０と回転板４０とバネ５０とクリック駒６０と中間板７０と接触子を保持した下側接触子ホルダ８０と回転子９０と接触子を保持した上側接触子ホルダ１００とカバー１１０とリベット１２０とによって構成されている。
【００２２】
回転操作軸１０は操作部１１と、操作部１１の先端から同軸に延長され、操作部１１より径の小さい保持部１２と、保持部１２の先端から同軸に延長され、保持部１２より径の小さい駆動部１３とを備えている。保持部１２の先端側には環状溝１２ａが外周面に形成されている。駆動部１３には中心軸線と平行に切り落とされて形成された２つの互いに平行な平面１３ａが形成されている。回転操作軸１０は樹脂または金属製とされる。
【００２３】
軸受２０は取り付け用ネジが外周に形成された取り付け部２１と、取り付け部２１の一端に一体に形成された矩形のフランジ２２とを有している。取り付け部２１には中心に回転操作軸１０の保持部１２が回転自在に挿通される軸穴２３が形成されている。フランジ２２の上面側には軸穴２３と同軸に円形の凹部２４が形成されており、その底面に軸穴２３が開口している。フランジ２２の一側辺に隣接する凹部２４の側壁部には、側壁部が切り取られた係合凹部２５が形成されている。フランジ２２の上面には係合凹部２５が形成されている側辺と対向する側辺に隣接して２つの位置決め突起２６，２７が形成されている。位置決め突起２６は円柱状とされ、位置決め突起２７は長円柱状とされている。さらに、フランジ２２の上面の一組の対角角部に固定穴２８がそれぞれ形成されている。軸受２０は樹脂または金属製とされる。
【００２４】
ハウジング３０は軸受２０のフランジ２２と同じ矩形とされ、中央にフランジ２２の凹部２４と同一径の開口３１を有するものとなっている。開口３１の内周面には上下２段、周方向に山谷形状をなす凹凸が所定のピッチで配列されて形成されている。上段の凹凸３２と下段の凹凸３３は周方向に互いの凹凸がちょうど逆になるようにずらされて形成されている。ハウジング３０の上面には一組の対角角部に位置決め穴３４ａがそれぞれ形成され、もう一組の対角角部に固定穴３４ｂがそれぞれ形成されている。また、軸受２０の位置決め突起２６，２７と対応する位置に位置決め穴３５，３６が形成されている。さらに、軸受２０の係合凹部２５に嵌合する係合凸部３７が下面に突出形成されている。ハウジング３０は樹脂または金属製とされる。
【００２５】
回転板４０は円形をなし、樹脂または金属で形成される。回転板４０の上面には略Ｕ字形をなす凹部４１が形成されている。凹部４１におけるＵ字の一方の脚部をなす部分には凹部４１と連通して回転板４０の外周面に至る切り欠き４２が形成され、Ｕ字の他方の脚部をなす部分には凹部４１と連通して回転板４０の外周面に至る窓４３が形成されている。これら切り欠き４２と窓４３は回転板４０の外周部の互いに１８０°をなす位置に形成されている。なお、切り欠き４２は回転板４０の上面側に位置し、窓４３は回転板４０の下面側に位置し、位置する高さがずらされている。
【００２６】
回転板４０の下面には軸受２０の軸穴２３に挿入される軸部４４が形成され、軸部４４には図１では見えないが、回転操作軸１０の駆動部１３が挿通される軸穴４５（図４参照）が形成されている。回転板４０の上面側には軸部４４の軸穴４５と連通し、軸穴４５より径の大きい軸穴４６が形成されている。軸穴４６にはその内周の一箇所から中心に向って突出し、かつ軸方向に延びる係合キー４７が形成され、係合キー４７と対向する軸穴４６の内周には回転操作軸１０の駆動部１３に形成されている平面１３ａの一方と合致する形状の突出部４８が突出形成されている。なお、軸穴４６の径は後述する回転子９０の回転軸９１が挿入係合できる大きさとされている。
【００２７】
バネ５０はＵ字形をなし、この例では幅狭の金属板バネ材がＵ字形に曲げられて形成されている。
クリック駒６０は短い円柱状とされ、２つ使用される。クリック駒６０は金属または樹脂製とされる。
【００２８】
中間板７０はハウジング３０と同じ矩形とされ、中央に軸穴７１が形成されている。軸穴７１の径は後述する回転子９０の回転軸９１が回転自在に挿通できる大きさとされている。中間板７０にはその一辺に隣接して２つの位置決め穴７２ａが形成され、一組の対角角部にそれぞれ固定穴７２ｂが形成され、もう一組の対角角部の下面には位置決め突起７３がそれぞれ形成されている。中間板７０は例えば樹脂製とされる。
【００２９】
図２は回転子９０の詳細を示したものであり、図２Ａは平面図、図２Ｂは図２ＡにおけるＤ−Ｄ線断面図、図２Ｃは底面図を示す。
【００３０】
回転子９０は回転軸９１と、回転軸９１の長さ方向中間に位置し、回転軸９１と同軸のディスク部９２と、ディスク部９２に保持された摺動接触片９３とがインサート成形により一体化されて形成されている。なお、図２Ａ及び図２Ｃにおいては摺動接触片９３に点々を付している。
【００３１】
回転軸９１には回転操作軸１０の駆動部１３と係合する軸穴９４が形成されている。さらに、回転軸９１の下端には回転板４０の係合キー４７及び突出部４８とそれぞれ係合する切り欠き９５，９６が形成されている。切り欠き９５，９６は軸方向に所定の長さとされ、これにより回転軸９１は切り欠き９５，９６の軸方向長さだけ回転板４０の軸穴４６に挿入される。
【００３２】
摺動接触片９３は上側接触片９３ａと下側接触片９３ｂからなり、これらは１枚の金属板を打ち抜き、図２Ｂに示したように折り曲げることによって形成されており、上側接触片９３ａと下側接触片９３ｂは重ね合わされている。
【００３３】
上側接触片９３ａは図２Ａに示したように同心の互いに隣接する２つの環状領域にそれぞれ円弧状の接触領域（露出領域）を有している。外側の環状領域には所定の角度範囲を占める１つの接触領域９３ａ１が形成され、内側の環状領域にはそれぞれ所定の角度範囲を占める２つの接触領域９３ａ２，９３ａ３が形成されている。
【００３４】
一方、下側接触片９３ｂは図２Ｃに示したように上側接触片９３ａの２つの環状領域と同じ（同じ径の）２つの環状領域と、さらに内周側に隣接してもう１つの環状領域を有している。外側の環状領域にはそれぞれ所定の角度範囲を占める４つの接触領域９３ｂ１，９３ｂ２，９３ｂ３，９３ｂ４が形成され、中間の環状領域にはそれぞれ所定の角度範囲を占める２つの接触領域９３ｂ５，９３ｂ６が形成されている。また、内側の環状領域には環状（３６０°）の接触領域９３ｂ７が形成されている。
【００３５】
図３Ａは上側接触子ホルダ１００の上面と、組み立てられた状態で下側に位置する回転子９０の上面を示したものである。
【００３６】
ハウジング部２２と同じ矩形の上側接触子ホルダ１００の下面には円形の回転子収容凹部１０１が形成され、その回転子収容凹部１０１の天井にはほぼ矩形の窓１０２が形成されている。上側接触子ホルダ１００の一側辺に隣接する回転子収容凹部１０１の側壁部には、その下面から下側接触子ホルダ８０の側に突出する係合凸部１０３と、その係合凸部１０３と隣接して同じ幅で側壁部が切り取られた係合凹部１０４が形成されている。上側接触子ホルダ１００の一組の対角角部には位置決め穴１０５ａがそれぞれ形成され、もう
一組の対角角部には固定穴１０５ｂがそれぞれ形成されている。さらに、端子１０７ｂ，１０８ｂ，１０９ｂが導出されている一側辺に隣接して２つの位置決め突起１０６が形成されている。
【００３７】
上側接触子ホルダ１００は３つの接触子１０７ａ，１０８ａ，１０９ａとそれらから一体に延長され、上側接触子ホルダ１００の一側面から外に突出された端子１０７ｂ，１０８ｂ，１０９ｂと共にインサート成形により形成されている。３つの接触子１０７ａ，１０８ａ，１０９ａは窓１０２の縁から内側に延び、それらの先端はそれぞれ回転子９０の摺動接触片９３に規定した３つの環状領域の上に位置している。この例では各接触子１０７ａ，１０８ａ，１０９ａはそれぞれ２つの分岐腕を有し、各環状領域において２点接触させることにより接触の安定性（信頼性）と寿命を高めている。
【００３８】
図３Ｂは下側接触子ホルダ８０の下面と、組み立てられた状態で上側に位置する回転子９０の下面を示したものである。
下側接触子ホルダ８０の構造は上側接触子ホルダ１００の構造と同一であり、同一の部品として形成した接触子ホルダを上下の向きを変えて上側用、下側用として使用することができる。
【００３９】
下側接触子ホルダ８０の上面には円形の回転子収容凹部８１が形成され、その回転子収容凹部８１の床にはほぼ矩形の窓８２が形成されている。下側接触子ホルダ８０の一側辺に隣接する回転子収容凹部８１の側壁部には、その下面から上側接触子ホルダ１００の側に突出する係合凸部８３と、その係合凸部８３と隣接して同じ幅で側壁部が切り取られた係合凹部８４が形成されている。下側接触子ホルダ８０の一組の対角角部には位置決め穴８５ａがそれぞれ形成され、もう一組の対角角部には固定穴８５ｂがそれぞれ形成されている。さらに、端子８７ｂ，８８ｂ，８９ｂが導出されている一側辺に隣接して２つの位置決め突起８６が形成されている。
【００４０】
下側接触子ホルダ８０は３つの接触子８７ａ，８８ａ，８９ａとそれらから一体に延長され、下側接触子ホルダ８０の一側面から外に突出された端子８７ｂ，８８ｂ，８９ｂと共にインサート成形により形成されている。３つの接触子８７ａ，８８ａ，８９ａは窓８２の縁から内側に延び、それらの先端はそれぞれ回転子９０の摺動接触片９３に規定した３つの環状領域の上に位置している。各接触子８７ａ，８８ａ，８９ａはそれぞれ２つの分岐腕を有し、各環状領域において２点接触している。
【００４１】
カバー１１０は中間板７０と同一形状とされ、中間板７０と同様、軸穴１１１、２つの位置決め穴１１２ａ、２つの固定穴１１２ｂ及び２つの位置決め突起１１３を備えている。カバー１１０は例えば樹脂製とされる。
【００４２】
各部の組み立ては以下のように行われる。
回転操作軸１０は軸受２０に挿通され、その保持部１２の先端側に形成されている環状溝１２ａにリング２９を装着することにより抜け止めされる。
ハウジング３０は軸受２０のフランジ２２上に搭載される。この時、フランジ２２の位置決め突起２６，２７はハウジング３０の位置決め穴３５，３６に嵌合され、さらにハウジング３０の係合凸部３７がフランジ２２の係合凹部２５に嵌合される。
【００４３】
回転板４０はその軸部４４の軸穴４５及びそれと連通する軸穴４６に回転操作軸１０の駆動部１３が挿通されてハウジング３０の開口３１及び開口３１に続く軸受２０の凹部２４に収容される。そして、この状態で２つのクリック駒６０が回転板４０の切り欠き４２及び窓４３にそれぞれ配置される。次に、バネ５０が回転板４０の凹部４１に収容配置される。この際、バネ５０の両端部を例えばピンセットで挟み込み、Ｕ字を狭めることによって容易に凹部４１に入れ込むことができる。なお、切り欠き４２へのクリック駒６０の配置はバネ５０を凹部４１に入れ込んだ後に行ってもよい。２つのクリック駒６０はバネ５０とハウジング３０の開口３１の内周面とに挟み込まれた状態となる。
【００４４】
中間板７０はその軸穴７１に駆動部１３を挿通させ、回転板４０を収容したハウジング３０の開口３１を上から塞いでハウジング３０の上面に取り付けられる。この時、中間板７０の位置決め突起７３はハウジング３０の位置決め穴３４ａに嵌合される。
【００４５】
中間板７０の位置決め穴７２ａに下側接触子ホルダ８０の位置決め突起８６が嵌合され、中間板７０の上に下側接触子ホルダ８０が位置決め固定される。その上から下側接触子ホルダ８０の回転子収容凹部８１内に回転子９０のディスク部９２のほぼ下半分を配置するように、回転子９０の軸穴９４に回転操作軸１０の駆動部１３を挿通させつつ、回転軸９１の下端部を中間板７０の軸穴７１を通して回転板４０の軸穴４５に挿入係合させる。
【００４６】
その回転子９０のディスク部９２のほぼ上半分を上側接触子ホルダ１００の回転子収容凹部１０１に収容するように、回転子９０の上から上側接触子ホルダ１００を被せ、下側接触子ホルダ８０に重ねて固定する。この時、上側接触子ホルダ１００の係合凸部１０３と係合凹部１０４が下側接触子ホルダ８０の係合凸部８３と係合凹部８４にそれぞれ嵌合し、互いに位置決めされる。
【００４７】
さらに、カバー１１０の軸穴１１１に回転子９０の回転軸９１の上端部を挿入させて上側接触子ホルダ１００の上にカバー１１０を重ねて位置決め突起１１３を位置決め穴１０５ａに嵌合し、位置決め穴１１２ａに位置決め突起１０６を嵌合する。これにより下側接触子ホルダ８０の接触子８７ａ，８８ａ，８９ａは回転子９０のディスク部９２の下面と弾接され、上側接触子ホルダ１００の接触子１０７ａ，１０８ａ，１０９ａは回転子９０のディスク部９２の上面と弾接される。
【００４８】
このようにして各部を合体した状態で、カバー１１０の固定穴１１２ｂ、上側接触子ホルダ１００の固定穴１０５ｂ、下側接触子ホルダ８０の固定穴８５ｂ、中間板７０の固定穴７２ｂ、ハウジング３０の固定穴３４ｂ、軸受２０の固定穴２８に２本のリベット１２０を挿通してリベット１２０の先端をかしめることにより、各部が互いに固定一体化され、スイッチが完成する。
【００４９】
上記のような構成とされたスイッチでは回転操作軸１０の回転により回転板４０及び回転子９０が一体に回転し、回転子９０の上側及び下側接触片９３ａ，９３ｂと、上側及び下側接触子ホルダ１００，８０の各接触子１０７ａ，１０８ａ，１０９ａ及び８７ａ，８８ａ，８９ａとの間で回転角度に応じた接離が行われ、所要のスイッチ開閉信号が得られる。
【００５０】
一方、回転板４０の外周部の切り欠き４２及び窓４３にそれぞれ位置し、回転操作軸１０の軸心方向において外周部の互いにずれた位置から突出すると共に、出入り可能とされている２つのクリック駒６０は、Ｕ字形をなすバネ５０のＵ字の両脚部によって互いに反対方向に付勢され、ハウジング３０の開口３１の内周面に形成されている上段の凹凸３２及び下段の凹凸３３に、それぞれその周面部分が押し付けられ、弾接されている。図４はこの様子を示したものであり、回転操作軸１０の図示は省略している。
【００５１】
以下、図４を参照して、このスイッチにおけるクリック機構を説明する。
回転操作軸１０の回転に伴い、回転板４０が回転すると、２つのクリック駒６０も回転板４０に追従して回転する。この時、ハウジング３０の開口３１の内周面に形成されている上段の凹凸３２に沿って一方のクリック駒６０が移動し、他方のクリック駒６０は開口３１の内周面に形成されている下段の凹凸３３に沿って移動する。両クリック駒６０は回転板４０から出入りする方向に動作するため、クリック感が発生する。
【００５２】
上述したように、この例では２つのクリック駒６０は互いに異なる凹凸３２，３３上を摺動するものとなっている。従って、図１０に示した２つのクリック駒が同じ凹凸上（同じ線上）を摺動する従来例のように、３６０°回転でのクリック数（クリック感の発生）が偶数に限定されるといった制約はなく、クリック数を自由に設定することができる。上述した例では上段及び下段の凹凸３２，３３は、共に凹凸の凸をハウジング３０の開口３１の内周面の一周に渡って所定のピッチで１５個形成した構成となっており、即ち凹凸を１５回繰り返し配列形成した構成となっており、これにより３６０°回転でのクリック数＝１５を実現している。
【００５３】
図５は回転板及びクリック駒の他の形状例を示したものである。図５Ａでは２つのクリック駒６１を大径部６１ａと小径部６１ｂとよりなる段付きの円柱状とし、これらクリック駒６１を収容配置することができるように回転板４０Ａの外周面の互いに１８０°をなす位置にクリック駒６１の形状と対応する切り欠き４２’を形成したものとなっている。２つのクリック駒６１は互いに上下逆に配置され、大径部６１ａがハウジング３０の凹凸３２，３３とそれぞれ弾接される。図５Ｂに示した回転板４０Ｂは図１に示した回転板４０に対し、窓４３が形成されている部分の上方に、回転板４０Ｂの上面に至る切り欠き４３ａを追加した構成となっている。
【００５４】
上述した例では２つのクリック駒と、それらクリック駒を互いに反対方向に付勢するバネを別体としているが、バネに凸部を一体形成し、その凸部をハウジング３０に形成されている凹凸３２，３３に弾接させるようにしてクリック駒を用いない構成とすることもできる。図６はこのように凸部を一体形成したバネの各種構成例を示したものである。
【００５５】
図６Ａは凸部を一体形成したＵ字形のバネ５１を２つ用いる例を示したものであり、バネ５１のＵ字の一方の脚部には凸部５１ａが外向きに突出して一体形成されている。バネ５１の幅は図１に示したバネ５０の幅のほぼ1/2とされ、金属板バネ材が曲げられて形成されており、凸部５１ａはバネ５１が折り曲げられてＵ字状をなすように形成されている。２つのバネ５１は回転板４０の凹部４１に上下２段に重ねて配置され、この際、２つのバネ５１の凸部５１ａが互いにＵ字の脚部の反対側に位置するように重ねられる。
【００５６】
２つのバネ５１の凸部５１ａは回転板４０の外周部の切り欠き４２及び窓４３にそれぞれ位置され、外周部から突出してハウジング３０の上下２段の凹凸３２，３３にそれぞれ弾接される。この例では凹凸３２，３３に沿ってバネ５１に一体形成された凸部５１ａが移動し、かつ回転板４０から出入りする方向に動作することでクリック感が発生する。
【００５７】
図６Ｂはハウジング３０の凹凸３２，３３と弾接する凸部を樹脂製としたものであり、この例では凸部５２ａはＵ字形をなす板バネ５２ｂに一体成形されて形成されている。２つの凸部５２ａは上下方向（板バネ５２ｂの幅方向）に位置がずらされて形成されている。ハウジング３０の凹凸３２，３３とそれぞれ弾接する凸部５２ａの先端面は半円筒面とされている。
【００５８】
図６Ｃは１つのＵ字形のバネ５３に２つの凸部５３ａを折り曲げ形成した例を示したものである。この例ではＵ字の両脚部は切断されて幅方向に２分され、その一方に凸部５３ａがＵ字状をなすように折り曲げられて形成されている。一方の凸部５３ａは図６Ｃに示したように、幅方向に２分された脚部の上半部に形成され、他方の凸部５３ａは他方の脚部の幅方向に２分された下半部に形成されている。なお、この例では凸部５３ａが形成されている各脚部の一半部の先端には、他半部にかかる幅広の折り曲げ部５３ｂが形成されており、これによりバネ５３の弾性付勢力を有効に利用できるものとなっている。
【００５９】
以上説明した例ではバネはいずれもＵ字形をなすものとされているが、バネの形状はこれに限らず、図７に示したような形状を有するものであってもよい。図７Ａに示したバネ５４は金属板バネ材よりなり、一箇所が切り欠かれた円環状をなすものであり、切り欠きを挟む各半部にハウジング３０の凹凸３２，３３と弾接する凸部５４ａが互いに外向きに形成されている。一方の凸部５４ａの形成部分は図７Ａに示したように幅方向下半部が切り欠かれて幅狭とされ、他方の凸部５４ａの形成部分は幅方向上半部が切り欠かれて幅狭とされており、これにより２つの凸部５４ａはバネ５４の幅方向において（上下方向において）互いに位置がずらされている。
【００６０】
図７Ｂに示したバネ５５は前述の図６Ａに示したバネ５１と同様、上下に重ねて２つ用いるものであり、図６Ａに示したバネ５１に対し、バネ５５の形状を図７Ａと同様、一箇所が切り欠かれた円環状にしたものである。２つのバネ５５は凸部５５ａが互いに円環の反対側に位置するように重ねられる。
【００６１】
図７Ｃに示したバネ５６は板材ではなく、線材を用い、図７Ｂに示したバネ５５と同様、円環状をなすように曲げ、かつ凸部５６ａを折り曲げて一体形成したものである。
【００６２】
図７Ｄはこれら図７Ａ〜Ｃに示した一箇所が切り欠かれた円環状をなすバネが収容配置される回転板４０Ｃの形状を示したものであり、この例では回転板４０Ｃはバネを収容する円環状の凹部４１’とバネの凸部が収容位置される２つの切り欠き４２”を備えている。さらに、凹部４１’と連通して回転板４０Ｃの外周面に至るもう一つの切り欠き４９が設けられている。
【００６３】
この切り欠き４９には一箇所が切り欠かれた円環状をなすバネ５４〜５６の切り欠かれた部分において、外側に向かって突出延長されている延長部５４ｂ，５５ｂ，５６ｂが位置される。バネ５４（５５，５６）を回転板４０Ｃに組み込む際には一対の延長部５４ｂ（５５ｂ，５６ｂ）をピンセット等で挟み込み、円環を狭めることによって容易に凹部４１’に入れ込むことができる。切り欠き４９はこの際のピンセットに対する逃げとなる。
【００６４】
以上説明したように、クリック駒とバネを用いる構成に替えて、ハウジング３０の凹凸３２，３３と弾接する凸部を一体形成したバネを用いるようにしてもよい。この際、バネは１つとすることもでき、また２つ重ねて用いる構成とすることもできる。凸部はバネを折り曲げて形成してもよく、また樹脂によりバネに一体成形して形成することもできる。さらに、バネの形状はＵ字形に限らず、一箇所が切り欠かれた円環状としてもよい。加えて、バネは板材に限らず、線材を用いて形成することもできる。
【００６５】
次に、図８に示したこの発明によるクリック機構の他の実施例について説明する。
この例ではスイッチ付き可変抵抗器にクリック機構を設けたものとなっている。図８は要部構成のみを示したものであり、図８に示していない回転操作軸１０、軸受２０、リング２９及びリベット１２０は図１に示したものと同一のものを使用する。なお、この例では図１と同様、回転板４０にバネ５０と２つのクリック駒６０が収容配置されている。
【００６６】
この例では下側ケース１３０及び上側ケース１４０を備え、さらに下側回転子１５０と上側回転子１６０とを備えたものとなっている。下側ケース１３０内には図９Ａに示したように可変抵抗器用のパターンとして、集電体パターン１３１と抵抗体パターン１３２とが形成されている。集電体パターン１３１は環状をなし、抵抗体パターン１３２は円弧状とされて集電体パターン１３１の外側に形成されている。図９Ａ中、１３３ａ〜１３３ｃはこれらパターンと接続されて外部に導出されている端子を示す。
【００６７】
上側ケース１４０内には図９Ｂに示したようにスイッチ用のパターンとして、集電体パターン１４１，１４２が形成されている。集電体パターン１４１は環状をなし、もう一方の集電体パターン１４２は一部が欠損された環状とされて集電体パターン１４１の外側に形成されている。この集電体パターン１４２の欠損部分はスイッチとしてのＯＦＦ部（ＯＦＦ領域）１４２ａとなる。図９Ｂ中、１４３ａ〜１４３ｃはこれらパターンと接続されて外部に導出されている端子を示す。
【００６８】
下側回転子１５０及び上側回転子１６０にはそれぞれ摺動子１５１，１６１が取り付けられており、摺動子１５１は下側ケース１３０の可変抵抗器用のパターンと摺接し、摺動子１６１は上側ケース１４０のスイッチ用のパターンと摺接するものとなっている。この例では回転操作軸１０の回転により所要のスイッチ開閉信号（ＯＮ／ＯＦＦ信号）が得られ、さらに抵抗値の変化出力が得られるものとなっている。そして、スイッチの開閉切替時にクリック感が得られるものとなっており、つまり３６０°回転で１回のクリック感が発生するものとなっている。
【００６９】
ハウジング３０’の開口３１の内周面には３６０°回転でのクリック数を１とすべく、凹凸の凸が一箇所に設けられている。上段の凸３２’と下段の凸３３’とは互いに１８０°をなす位置に位置されている。
【００７０】
このように、この例によれば、従来実現することができなかった３６０°回転でのクリック数＝１を実現することができる。
【図１】
0005740317.tif 000002
【図２】
0005740317.tif 000003
【図３】
0005740317.tif 000004
【図４】
0005740317.tif 000005
【図５】
0005740317.tif 000006
【図６】
0005740317.tif 000007
【図７】
0005740317.tif 000008
【図８】
0005740317.tif 000009
【図９】
0005740317.tif 000010
【図１０】
0005740317.tif 000011